(57)【要約】【課題】ブラケティング撮影時の操作性を高める。【解決手段】撮影条件を所定量ずつ変化させて、複数駒の撮影を１組として撮影するブラケティング撮影が可能な撮像装置であって、ブラケティング撮影の１組の撮影終了を報知する報知装置３４を有する。【選択図】      図１
2005221578.tif 000002
【特許請求の範囲】
【請求項１】
撮影条件を所定量ずつ変化させて、複数駒の撮影を１組として撮影するブラケティング撮影が可能な撮像装置であって、
前記ブラケティング撮影の１組の撮影終了を報知する報知手段を有することを特徴とする撮像装置。
【請求項２】
前記報知手段は発音体を備えることを特徴とする請求項１に記載の撮像装置。
【請求項３】
撮影条件を所定量ずつ変化させて、複数駒の撮影を１組として撮影するブラケティング撮影が可能な撮像装置であって、
前記ブラケティング撮影の１組の撮影途中の駒数を数値表示として報知する報知手段を有することを特徴とする撮像装置。
【請求項４】
前記報知手段は、前記ブラケティング撮影の１組の撮影枚数を表示し、撮影毎に減算した数値を表示することを特徴とする請求項３に記載の撮像装置。
【請求項５】
前記報知手段は、前記撮像装置の連続撮影可能な枚数と前記ブラケティング撮影の１組の撮影途中の駒数とを切り替えて表示することを特徴とする請求項３に記載の撮像装置。
【請求項６】
前記報知手段は、前記撮像装置の撮影済み総枚数と前記ブラケティング撮影の１組の撮影途中の駒数とを切り替えて表示することを特徴とする請求項３に記載の撮像装置。
【請求項７】
前記報知手段は、前記撮像装置の撮影可能残枚数と前記ブラケティング撮影の１組の撮影途中の駒数とを切り替えて表示することを特徴とする請求項３に記載の撮像装置。
【請求項８】
撮影条件を所定量ずつ変化させて、複数駒の撮影を１組として撮影するブラケティング撮影が可能な撮像装置を制御する方法であって、
前記ブラケティング撮影の１組の撮影終了を報知する報知工程を有することを特徴とする撮像装置の制御方法。
【請求項９】
撮影条件を所定量ずつ変化させて、複数駒の撮影を１組として撮影するブラケティング撮影が可能な撮像装置を制御する方法であって、
前記ブラケティング撮影の１組の撮影途中の駒数を数値表示として報知する報知工程を有することを特徴とする撮像装置の制御方法。
【請求項１０】
請求項８又は９に記載の制御方法をコンピュータに実行させることを特徴とするプログラム。
【請求項１１】
請求項１０に記載のプログラムをコンピュータ読み取り可能に記憶したことを特徴とする記憶媒体。
【発明の詳細な説明】
【技術分野】
【０００１】
本発明は、ブラケティング撮影が可能な撮像装置において、使用者に対しブラケティング撮影の途中、または終了したことを的確に示すことを可能とする技術に関するものである。
【背景技術】
【０００２】
従来、ある露出を得るような撮影条件を基準とし、露光量を所定量変化させながら、順次複数の駒を撮影するブラケティング撮影機能が知られている。たとえば、プログラムオートモードなどでは、カメラ装置自体が最適な露出値を算出し、露光時間、絞り値を決定する。同時にブラケティング撮影が指定されている場合には、露出補正量に応じて、露光時間または絞り値（または両方）を変化させ、複数枚の撮影を行う。順次レリーズ信号に対応して、適正露光、負側補正露光、正側補正露光と３回の撮影を行う。露出補正量は任意に設定できるし、１組となる撮影枚数も３枚に限らず、５枚、７枚等と変化させることが可能である。
【０００３】
カメラ装置には連写撮影モードと単写撮影モードがある場合があるが、連写撮影モードにおいてはシャッターボタンを押下したままで保持すると、順次複数枚の撮影が行われる。また、単写撮影モードの場合ではシャッターボタンを一旦開放した後、再押下の繰り返しで順次撮影が行われる。
【０００４】
１組複数枚の撮影が行われている間、カメラ上部の表示装置や、ファインダー内の表示装置上にブラケティング撮影が指定されていることが示される。
【特許文献１】特開平８−２６２５２４号公報
【発明の開示】
【発明が解決しようとする課題】
【０００５】
しかしながら、上述のようなブラケティング撮影が設定されていることを単純に表示する方法では、常に表示（インジケータ）に意識を向ける必要があり、逆に撮影に集中すると見逃す場合があった。特に単写モードなどで１レリーズ毎に撮影を行っていると、ブラケティングの区切り認識が低下し、１組を越えて余分に撮影を始めてしまうこともあった。この場合、無駄な撮影駒を消費することになり、不便であった。
【０００６】
また、複数枚からなるブラケティング撮影では、ブラケティングによる残り撮影枚数がわかりにくくなる欠点があった。とくに１種類の撮影条件を変化させるブラケティング撮影ではなく、これを組みあわせた２種類以上の撮影条件を変化させるブラケティング撮影時には１組を構成する枚数が多くなり、さらに困惑するという問題があった。
【０００７】
従って、本発明は上述した課題に鑑みてなされたものであり、その目的は、ブラケティング撮影時の操作性を高めることである。
【課題を解決するための手段】
【０００８】
上述した課題を解決し、目的を達成するために、本発明に係わる撮像装置は、撮影条件を所定量ずつ変化させて、複数駒の撮影を１組として撮影するブラケティング撮影が可能な撮像装置であって、前記ブラケティング撮影の１組の撮影終了を報知する報知手段を有することを特徴とする。
【０００９】
また、この発明に係わる撮像装置において、前記報知手段は発音体を備えることを特徴とする。
【００１０】
また、本発明に係わる撮像装置は、撮影条件を所定量ずつ変化させて、複数駒の撮影を１組として撮影するブラケティング撮影が可能な撮像装置であって、前記ブラケティング撮影の１組の撮影途中の駒数を数値表示として報知する報知手段を有することを特徴とする。
【００１１】
また、この発明に係わる撮像装置において、前記報知手段は、前記ブラケティング撮影の１組の撮影枚数を表示し、撮影毎に減算した数値を表示することを特徴とする。
【００１２】
また、この発明に係わる撮像装置において、前記報知手段は、前記撮像装置の連続撮影可能な枚数と前記ブラケティング撮影の１組の撮影途中の駒数とを切り替えて表示することを特徴とする。
【００１３】
また、この発明に係わる撮像装置において、前記報知手段は、前記撮像装置の撮影済み総枚数と前記ブラケティング撮影の１組の撮影途中の駒数とを切り替えて表示することを特徴とする。
【００１４】
また、この発明に係わる撮像装置において、前記報知手段は、前記撮像装置の撮影可能残枚数と前記ブラケティング撮影の１組の撮影途中の駒数とを切り替えて表示することを特徴とする。
【００１５】
また、本発明に係わる撮像装置の制御方法は、撮影条件を所定量ずつ変化させて、複数駒の撮影を１組として撮影するブラケティング撮影が可能な撮像装置を制御する方法であって、前記ブラケティング撮影の１組の撮影終了を報知する報知工程を有することを特徴とする。
【００１６】
また、本発明に係わる撮像装置の制御方法は、撮影条件を所定量ずつ変化させて、複数駒の撮影を１組として撮影するブラケティング撮影が可能な撮像装置を制御する方法であって、前記ブラケティング撮影の１組の撮影途中の駒数を数値表示として報知する報知工程を有することを特徴とする。
【００１７】
また、本発明に係わるプログラムは、上記の制御方法をコンピュータに実行させることを特徴とする。
【００１８】
また、本発明に係わる記憶媒体は、上記のプログラムをコンピュータ読み取り可能に記憶したことを特徴とする。
【発明の効果】
【００１９】
本発明によれば、ブラケティング撮影時の操作性を高めることが可能となる。
【発明を実施するための最良の形態】
【００２０】
以下、本発明の好適な一実施形態について説明する。
【００２１】
まず、一実施形態の概要について説明する。
【００２２】
撮影条件を所定量ずつ変化させて、複数駒の撮影を１組として撮影するブラケティング撮影が可能なデジタルカメラ装置において、１組の撮影終了を報知する報知手段を設ける。この報知手段は発音体であってもよい。また、ブラケティング撮影１組の撮影枚数を最初に表示しておき、撮影毎にこの枚数から減算していく数値表示装置を設ける。
【００２３】
さらに、上記の数値表示装置は、ブラケティング撮影枚数と、連続撮影可能枚数を切り替えて表示する数値表示装置でもよい。
【００２４】
同様に、上記の数値表示装置は、ブラケティング撮影枚数と、撮影済み総枚数を切り替えて表示する数値表示装置でもよい。
【００２５】
加えて、上記の数値表示装置は、ブラケティング撮影枚数と、撮影可能枚数を切り替えて表示する数値表示装置でもよい。
【００２６】
その他、上記の数値表示装置は、ブラケティング撮影枚数と、ＩＳＯ値表示、ファイル番号、フォルダ番号等を切り替えて表示する数値表示装置でもよい。
【００２７】
以下、本発明の一実施形態について、図面を参照して具体的に説明する。
【００２８】
図１は本発明の一実施形態のデジタルカメラの構成を簡略的に示した図である。
【００２９】
図１において、１１はレンズ装置、１２は絞り装置、１３はシャッター装置、１４はＣＣＤ等により光信号を電気信号に変換する撮像素子、１５はアナログ信号をデジタル信号に変換するＡ／Ｄ変換装置、１６はガンマ補正等の映像信号処理を行う画像処理装置、１７は画像データの圧縮処理を行う圧縮処理装置、１８は画像データを一時的に保存したり、プログラムやデータ変数を格納保持するメモリ装置、１９はメモリカードやハードディスクなどの画像データを記録する記録媒体、２０は撮像素子１４やＡ／Ｄ変換装置１５を駆動する駆動装置、２１は光学ファインダ装置、２２は例えば、露光時間、絞り数値、撮影可能枚数、露出補正値、撮影モード、圧縮率、合焦状態、フラッシュ充電完了、ビジー、等を表示する光学ファインダ内やカメラ外周上に設けられた表示装置、２３はシャッター装置１３を制御して露光時間を調整するシャッター制御装置、２４は絞り装置１２を制御して撮像素子１４に到達する光の量を調節する絞り制御装置、２５はレンズ装置１１内のフォーカシングレンズを駆動して焦点距離を調節するフォーカス制御装置、２６は撮影のモードを変更する撮影モード変更装置、２７は撮影画像の解像度を変更する撮影解像度変更装置、２８は撮影時の感度を変更するＩＳＯ値変更装置、２９は撮像を指示するシャッタースイッチ装置、３０は本デジタルカメラの電源を入／切制御する主電源スイッチ、３１は単写と連写を切り替える単写／連写スイッチ、３２は露光量を検出する測光装置、３３は合焦を検出する測距装置、３４は警告音や確認音を発音するための発音体、３５はオートフォーカス用補助光の投光やフラッシュ調光機能を持つフラッシュ装置、３６はレンズ装置１１に入射した光の経路を制御するミラー装置、３７はブラケット撮影と補正幅等を入力するブラケティング指示装置、３８はデジタルカメラ全体の制御、スイッチ類からの入力に応じた制御、焦点距離の調節や露光量の調節、メモリや記録媒体への書き込み読み出し制御等を行うシステム制御装置である。
【００３０】
撮影モード変更装置２６によって、例えば、自動（フルオート）、プログラム、シャッター速度優先、絞り優先、マニュアル、焦点深度優先、ポートレート、風景、接写、スポーツ、夜景、パノラマ、動画記録などの各撮影モードの選択が可能である。
【００３１】
シャッタースイッチ２９はいわゆるＳＷ１、ＳＷ２の２段階スイッチからなり、ＳＷ１のＯＮでオートフォーカス処理、自動露出処理、オートホワイトバランス処理、フラッシュ調光処理等の動作を開始する。さらにＳＷ２のＯＮでシャッター装置１３が開き、撮像素子１４から出力された信号がＡ／Ｄ変換装置１５、画像処理装置１６、圧縮処理装置１７を通過することにより画像データが生成され、記録媒体１９に保存されるという一連の処理が行なわれる。
【００３２】
また、単写／連写スイッチ３１により、カメラ装置はＳＷ２の押下後、ＳＷ２が離されるまで、連続的に撮影を繰り返すモード（連写）と、ＳＷ１を離放するまで１回の撮影しか行わないモード（単写）を切り替える。
【００３３】
ブラケティング指示装置３７はブラケットを構成する枚数や補正幅等を入力する。ここで指示可能なブラケットは絞りブラケット、シャッタースピードブラケット、絞り−シャッタースピード（プログラム）ブラケット、ＩＳＯブラケット、ホワイトバランスブラケット、フォーカスブラケットなどであり、その他撮影条件の振り、画像パラメータの振り等、各種のブラケット指示が可能である。またこれらの組み合わせも指示可能である。なお、本発明はブラケットの種類を限定するものではなく、あらゆるブラケット指示に対し効果を発揮するものである。入力された枚数や補正幅は表示装置２２に表示され、使用者による確認が可能である。
【００３４】
もちろん一般的な技術として、露光時間の制御は、シャッター装置１３により直接制御する場合もあるし、電子シャッターと呼ばれる撮像素子１４の蓄積時間で制御する方法もよく使われている。
【００３５】
測距、測光（すなわちオートフォーカス処理、自動露出処理、フラッシュ調光処理）は測距装置３３、測光装置３２を用いて行う例をあげたが、画像処理装置１６およびシステム制御装置３８によって代用することも可能である。
【００３６】
また、光学ファインダ２１の代りに撮像装置１４に入る像を表示装置２２に表示し、ファインダとして利用する電子ビューファインダとする構成も考えられる。
【００３７】
図２は一実施形態のデジタルカメラ装置の動作を示すフローチャートである。図２を用いて図１に示したデジタルカメラ装置の処理の概要について説明する。
【００３８】
システム制御装置３８は、ブラケット撮影の指示入力を行うブラケティング指示装置３７の設定を調べ（Ｓ１０１）、ブラケティング指示されていれば、ブラケティング設定をメモリ装置１８の内部メモリ（非図示）に保存する（Ｓ１０２）。さらに、単写／連写の撮影を切り替える単写／連写スイッチ３１の設定状態を調べ（Ｓ１０３）、単写設定されていれば、単写フラグ（メモリ装置１８に存在する）を設定し（Ｓ１０４）、連写設定がされていれば、連写フラグ（メモリ装置１８に存在する）を設定する（Ｓ１０５）。なお、ブラケティング設定、単写フラグ、連写フラグはシステム制御装置３８の内部のメモリに記録してもよい。
【００３９】
シャッタースイッチ２９のＳＷ１がおされていないならば（Ｓ１０６）、Ｓ１０１に戻る。シャッタースイッチ２９のＳＷ１が押されていた場合（Ｓ１０６）、システム制御装置３８は測距・測光処理を行う（Ｓ１０７）（Ｓ１０８）。
【００４０】
Ｓ１０９ではブラケット撮影指示の有無に基づいて１組の枚数や補正幅等を表示装置２２に表示する。
【００４１】
シャッタースイッチ２９のＳＷ２が押されていないならば（Ｓ１１０）、シャッタースイッチＳＷ１が放されるまで（Ｓ１１１）ＳＷ１、ＳＷ２の判定を繰り返す。ＳＷ１が放されたならばＳ１０１へ戻る。シャッタースイッチＳＷ２が押されたならば、システム制御装置３８は、撮影した画像データの記憶が可能な領域がメモリ装置１８にあるかどうかを判断し（Ｓ１１２）、無ければ表示装置２２に所定の警告表示を行い（Ｓ１１３）、Ｓ１０１に戻る。
【００４２】
メモリ装置１８に撮影した画像データの記憶可能な領域があるならば、Ｓ１１４で撮影処理を行い、Ｓ１１５で現像処理を行う。
【００４３】
Ｓ１１５の現像処理は必要なＷＢ（ホワイトバランス）積分演算、ＯＢ（オプティカルブラック）積分演算を行い、演算結果をシステム制御装置３８の内部メモリ（不図示）あるいはメモリ装置１８に記憶する。そして、システム制御装置３８は画像処理装置１６を用いてメモリ装置１８の所定の領域に書き込まれた撮影画像データを読み出して、システム制御装置３８の内部メモリあるいはメモリ装置１８に記憶した前記演算結果を用いて、ＡＷＢ（オートホワイトバランス）処理、ガンマ変換処理、色変換処理を含む各種現像処理を行う（Ｓ１１５）。
【００４４】
さらにシステム制御装置３８はメモリ装置１８から画像データを読み出して、設定したモードに応じた画像圧縮処理を行い（Ｓ１１６）、ハードディスクやメモリカード等の記録媒体装置１９に保存処理を開始する（Ｓ１１７）。
【００４５】
記録が開始された後、Ｓ１１８でブラケティングの報知を行う。Ｓ１１９でシャッタースイッチＳＷ１が押されているか判断し、放されていればＳ１０１へ戻る。シャッタースイッチＳＷ１が押されていれば、Ｓ１２０で連写か単写かを判定し、単写ならＳ１１９へ戻り、連写ならＳ１０８へ戻る。連写の場合、Ｓ１０８へ戻って再度測光処理から繰り返しているが、Ｓ１０７へ戻り測距処理から繰り返してもよい。
【００４６】
図３を用いて測距処理について説明する。
【００４７】
システム制御装置３８と撮像素子１４と測距装置３３とフォーカス制御装置２５を用いて、レンズ装置１１のフォーカス駆動を行い、合焦処理を行う（Ｓ２０１）。レンズ装置１１に入射した光線は、ミラー装置３６で測距装置３３に入射され、光学像として結像した画像の合焦状態を判断し合焦と判定する。Ｓ２０１ではシステム制御装置３８とフォーカス制御装置２５によりレンズ装置１１内の合焦用レンズを移動し、測距装置３３が捕らえる像の状態により、システム制御装置３８が合焦状態を判定する（Ｓ２０２）。合焦が得られることによりレンズ位置を決定し、測距点決定が行われる（Ｓ２０３）。この時、複数の測距点の中から合焦した測距点を選択し、測距点データや距離データ、レンズデータ等をシステム制御装置３８の内部メモリあるいはメモリ装置１８に保存する。
【００４８】
図４を用いて測光処理について説明する。
【００４９】
測光処理は初めにブラケティング撮影が指定されているか判定し（Ｓ３０１）、されていない場合そのままＳ３０４で測光制御を行う。システム制御装置３８は測光装置３２を用いて自動露出処理を行う。レンズ装置１１に入射した光線を測光装置３２に入射させることにより、光学像として結像された画像の明るさを測定し、実撮影時に最適な露出（ＡＥ）が得られるように、シャッター制御装置２３と絞り制御装置２４のコントロールに必要となる露出値を演算する（Ｓ３０４）。適正な露出を得られる設定値が決定したならば（Ｓ３０５）、システム制御回路３８は基準測光値を含む測光データおよび／あるいは設定パラメータをシステム制御装置３８の内部メモリあるいはメモリ装置１８に記憶し、Ｓ３０７に進む。
【００５０】
Ｓ３０１でブラケティング撮影指定されている場合は、Ｓ３０２でブラケティング１組の１枚目の撮影であるか判断し（Ｓ３０２）、１枚目であれば通常の測光制御を行う（Ｓ３０４）。１枚目でなく、つまりブラケティング撮影の途中である場合は１枚目撮影時にＳ３０６で決定した基準測光値に対し、指示された補正量に応じて新たな露光量を計算する。補正量は、使用者によってあらかじめブラケティング指示装置３７から入力されている。
【００５１】
なお、測光処理Ｓ３０４で検出した明るさ情報と、モードダイアルによって設定された撮影モードに応じて、システム制御装置３８は、絞り値（Ａｖ値）、シャッター速度（Ｔｖ値）を決定する。この値に応じて、撮影が行われる。
【００５２】
さらにシステム制御装置３８は、フラッシュが必要か否かを判断し（Ｓ３０７）、フラッシュが必要ならばフラッシュフラグをセットし、フラッシュ（非図示）の充電が完了するまで（Ｓ３０９）充電を行う（Ｓ３０８）。
【００５３】
図５は図２のＳ１１４における撮影処理のフローチャートである。
【００５４】
システム制御装置３８は、ミラー３６を不図示のミラー駆動手段によってミラーアップ位置に移動すると共に（Ｓ４０１）、システム制御装置３８の内部メモリあるいはメモリ装置１８に記憶された測光データに従い、絞り制御装置２４によって絞り装置１２を所定の絞り量まで駆動する（Ｓ４０２）。Ｓ４０３でシステム制御装置３８は撮像素子１４の電荷クリアを行い、Ｓ４０４で撮像素子１４の電荷蓄積を開始し、シャッター制御装置２３によってシャッター１３を開き（Ｓ４０５）、撮像素子１４の露光を開始する（Ｓ４０６）。
【００５５】
ここでフラッシュフラグによりフラッシュ３５が必要であるなら（Ｓ４０７）発光させる（Ｓ４０８）。
【００５６】
システム制御装置３８は測光データに従って撮像素子１４の露光時間経過を待ち（Ｓ４０９）、システム制御回路３８はシャッター制御装置２３によってシャッター１３を閉じ（Ｓ４１０）、絞り制御装置２４によって絞り装置１２を開放の絞り値まで駆動すると共に（Ｓ４１１）、ミラー３６をミラーダウン位置に移動する（Ｓ４１２）。
【００５７】
システム制御装置３８は撮像素子１４の電荷蓄積を終了した後（Ｓ４１３）、撮像素子１４から電荷信号を読み出し、Ａ／Ｄ変換装置１５によってデジタルデータに変換して読み出す（Ｓ４１４）。
【００５８】
図６は図２におけるＳ１０９のブラケット表示のフローチャートである。
【００５９】
システム制御装置３８はブラケティング撮影が指定されているか判断し（Ｓ５０１）、ブラケティング撮影が指定されていない場合はＳ５０２で連写可能枚数を表示装置２２に表示する（Ｓ５０２）、（図９（ａ））。連写可能枚数とは中断無しに撮影を繰り返せる回数を示すものであり、単純に画像記録バッファの容量から算出してもよいし、画像記録バッファの容量や電荷信号の読み出し、画像処理の速度、圧縮処理の速度、さらには記録媒体への記録速度などの一連のスループットによって算出してもよい。
【００６０】
また、ここでは連写可能枚数との入れ替え表示としてフローチャートが書かれているが、記録媒体の容量に対した残り撮影可能枚数や、既撮影枚数、ファイル番号、フォルダ番号、ＩＳＯ値表示、などの表示と入れ替えで表示する構成にしてもよい。
【００６１】
Ｓ５０１でブラケティング撮影が指示されている場合は、ブラケティング撮影の組の１枚目か判定する（Ｓ５０３）。１枚目である場合はブラケティング撮影の１組の枚数を計算し、システム制御装置３８の内部メモリまたはメモリ装置１８に保持する（Ｓ５０４）。例えば、基準露出の撮影に対し、±１段ずつの補正をした計３枚の場合は"３"と（図９（ｂ））、±１段と±２段をまぜた計５枚なら"５"と、±１段とISO値100と200と300のISOブラケットの組み合わせの場合は３×３の計９枚となり、"９"と算出される。その他設定されたブラケットのモードや組み合わせにより算出される枚数は異なる。算出結果は表示装置２２に表示される（Ｓ５０６）。このとき先に表示されていた連写可能枚数と入れ替わりに表示している。
【００６２】
ブラケティング撮影の１組内の最初の１枚でない場合（Ｓ５０３）、Ｓ５０５に進みＳ５０４で求めた撮影枚数から１を減算し、新たな値を求める。同様に残り枚数を表示装置２２に表示する（Ｓ５０６）、（図９（ｂ）、（ｃ）、（ｄ））。
【００６３】
図７はブラケティング報知のフローチャートである。
【００６４】
図７においてシステム制御装置３８はブラケティング撮影が設定されているが判断し（Ｓ６０１）、設定されていない場合は終了する。設定されている場合はＳ６０２でブラケティング撮影の１組内最後の撮影が終了したか判断する（Ｓ６０２）。最後の撮影であった場合、発音体３４を用いて音として使用者に通知する（Ｓ６０３）。Ｓ６０２における最後の撮影の判定は、最終駒の撮影後に行なってもよいし、最終駒撮影の前としてもよい。図８にこれを示すと、図８（ａ）のように最終駒の後に報知を入れる構成も考えれるし、図８（ｂ）のように最終駒の１つ前の駒で報知を行ってもよい。
【００６５】
以上説明したように、撮影条件を所定量ずつ変化させて、複数駒の撮影を１組として撮影するブラケティング撮影が可能なデジタルカメラ装置において、１組の撮影開始、または終了を報知する報知手段を設けることにより、撮影に集中している場合においても、的確にブラケティングの開始または終了（１組の区切り）を認識することができ、無駄な撮影駒の消費を回避できる。
【００６６】
また、ブラケティング撮影１組の撮影枚数を表示し、撮影毎に減算していくことによって、ブラケティングに必要となる残枚数を認識でき、ブラケティングに必要となる枚数を計算したり、記憶にたよって枚数を勘定する不便さを解消できる。さらに撮影可能枚数との切り替え表示等にすることにより、いたずらに数値表示装置などを増設せずにすむ。
【００６７】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６８】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６９】
本発明を上記記憶媒体に適用する場合、その記憶媒体には、先に説明したフローチャートに対応するプログラムコードが格納されることになる。
【図面の簡単な説明】
【００７０】
【図１】本発明の一実施形態に係わるデジタルカメラの概略構成を示す図である。
【図２】図１のデジタルカメラの撮影動作の流れを示した図である。
【図３】測距処理の詳細な流れを示した図である。
【図４】測光処理の詳細な流れを示した図である。
【図５】撮影処理の詳細な流れを示した図である。
【図６】表示装置への表示処理の流れを示した図である。
【図７】報知動作の流れを示した図である。
【図８】ブラケティング撮影終了の報知動作の動作例を示した図である。
【図９】表示装置の動作例を示した図である。
【符号の説明】
【００７１】
１１  レンズ装置
１２  絞り装置
１３  シャッター装置
１４  撮像素子
１５  Ａ／Ｄ変換装置
１６  画像処理装置
１７  圧縮処理装置
１８  メモリ装置
１９  記録媒体
２０  駆動装置
２１  ファインダ装置
２２  表示装置
２３  シャッター制御装置
２４  絞り制御装置
２５  フォーカス制御装置
２６  撮影モード変更装置
２７  解像度変更装置
２８  ＩＳＯ値変更装置
２９  シャッタースイッチ装置
３０  主電源スイッチ装置
３１  単写／連写スイッチ装置
３２  測光装置
３３  測距装置
３４  発音体
３５  フラッシュ装置
３６  ミラー装置
３７  ブラケティング指示装置
３８  システム制御装置
【図１】
2005221578.tif 000003
【図２】
2005221578.tif 000004
【図３】
2005221578.tif 000005
【図４】
2005221578.tif 000006
【図５】
2005221578.tif 000007
【図６】
2005221578.tif 000008
【図７】
2005221578.tif 000009
【図８】
2005221578.tif 000010
【図９】
2005221578.tif 000011